(57)【要約】      （修正有）【課題】非接触ＩＣカードの読取機器が非接触ＩＣカードとの通信を確実に行うことが可能となる非接触ＩＣ電力制御装置を提供する。【解決手段】非接触ＩＣカード１が対象とする非接触ＩＣカードの読取機器２からの通信信号３から通信エネルギーを取得する部品６により通信エネルギーを取得するとともに、非接触ＩＣカードの読取機器以外の機器４から発信されている通信信号５から通信エネルギーを取得する部品７により通信エネルギーを取得することで、同時並行的に通信エネルギーを取得することが可能となり、非接触ＩＣカード１が非接触ＩＣカード読取機器２との通信を確保するに十分な通信エネルギーを取得し、非接触ＩＣカードの読取機器２が非接触ＩＣカード１との通信を確実に行うことが可能となる。【選択図】図１
2020021438.tif 000002
【特許請求の範囲】
【請求項１】
非接触ＩＣカード（１）において、非接触ＩＣカードの読取機器（２）からの通信信号（３）に対して同調し、該同調信号から通信エネルギーを取得する手段（６）と、該非接触ＩＣカードの読取機器（２）以外の機器（４）から発信されている通信信号（５）を受信し、該通信信号（５）に対して同調し、該同調信号から通信エネルギーを取得する手段（７）を有し、該非接触ＩＣカードの読取機器（２）からの通信信号（３）を該非接触ＩＣカードが受信できた場合に該非接触ＩＣカードの読取機器（２）から通信エネルギーを取得すると同時に、該非接触ＩＣカードの読取機器（２）以外の機器（４）から発信されている通信信号（５）を受信し、該通信信号（５）に対して同調し、該同調信号から通信エネルギーを取得することを行うことを特徴とする非接触ＩＣ電力制御装置。
【請求項２】
非接触ＩＣカード（１）において、該非接触ＩＣカードの読取機器（２）以外の機器（４）から発信されている通信信号（５）としての通信周波数を２．４５ＧＨｚとする通信信号（５）に対して同調し、該同調信号から通信エネルギーを非接触ＩＣカードの読取機器以外の機器（４）から通信エネルギーを取得する部品（７）により取得することを特徴とする非接触ＩＣ電力制御装置。
【請求項３】
非接触ＩＣカード（１）において、該非接触ＩＣカードの読取機器（２）以外の機器（４）から発信されている通信信号（５）としての通信周波数を９６０ＭＨｚとする通信信号（５）に対して同調し、該同調信号から通信エネルギーを非接触ＩＣカードの読取機器以外から機器（４）から通信エネルギーを取得する部品（７）により取得することを特徴とする非接触ＩＣ電力制御装置。
【請求項４】
非接触ＩＣカード（１）において、該非接触ＩＣカードの読取機器（２）以外の機器（４）から発信されている通信信号（５）としての通信周波数を１３．５６ＭＨｚとする通信信号（５）に対して同調し、該同調信号から通信エネルギーを非接触ＩＣカードの読取機器以外から機器（４）から通信エネルギーを取得する部品（７）により取得することを特徴とする非接触ＩＣ電力制御装置。
【請求項５】
非接触ＩＣカード（１）において、該非接触ＩＣカードの読取機器（２）以外の機器（４）から発信されている通信信号（５）としての通信周波数を１３５ＫＨｚとする通信信号（５）に対して同調し、該同調信号から通信エネルギーを非接触ＩＣカードの読取機器以外から機器（４）から通信エネルギーを取得する部品（７）により取得することを特徴とする非接触ＩＣ電力制御装置。
【発明の詳細な説明】
【技術分野】
【０００１】本発明は、非接触ＩＣが周囲の電波を感知し、同調した場合にその電波を受信してそこからエネルギーを取得して該非接触ＩＣカードを活性化させ、非接触ＩＣカードと非接触ＩＣカードの読取機器との間で通信を行う場合に、出来るだけ高いエネルギーを取得して効率的に非接触ＩＣカードと非接触ＩＣカード読取機器との間の通信を行う必要があり、このために非接触ＩＣカードに内蔵された非接触ＩＣが非接触ＩＣカードの周辺から効率的に電力を取得する装置に関するものである。
【背景技術】
【０００２】非接触ＩＣカードに用いる非接触ＩＣは非接触ＩＣカードの読取機器からの送信電波を受信し、その同期信号の信号エネルギーを取得して、非接触ＩＣに内蔵された電源生成管理回路と内蔵された蓄電器（コンデンサー）により、非接触ＩＣの動作に必要な電力を確保し、非接触ＩＣの動作用の電力として使用するのが一般的であった。しかし、非接触ＩＣが非接触ＩＣカードの読取機器から送電波を受信し、信号エネルギーを取得して、内蔵された電源生成管理回路により取得できる電力エネルギー量は極めて微少であり、このため非接触ＩＣにより作られた非接触ＩＣカードが非接触ＩＣカードの読取機器と通信を確保できる距離は短く、又、非接触ＩＣカードが非接触ＩＣカードの読取機器との通信を中断され、非接触ＩＣカードの読取を行うことが不可能な場合が生じ、非接触ＩＣカードの処理に問題を生じることが多かった。【０００３】  従来、非接触ＩＣカードと非接触ＩＣカードの読取機器との通信において該非接触ＩＣカードの読取機器が該非接触ＩＣカードの接近を感知した際に該非接触ＩＣカードの読取機器からの送信エネルギーを増加させて通信用のエネルギーを確保するもの（例えば、特開２００５−７８６３５公報）がある。また、非接触ＩＣカードの読取機器が複数のネットワークで接続され非接触ＩＣカードに出来るだけ多くの電力を供給するように非接触ＩＣカードが非接触ＩＣカードの読取機器からエネルギーを取得するもの（例えば、特開２０１２−２３０６８２公報）がある。
【先行技術文献】
【特許文献】
【０００４】
【特許文献１】特開２００５−７８６３５
【特許文献２】特開２０１２−２３０６８２
【発明の概要】
【発明が解決しようとする課題】
【０００５】特許文献１は非接触ＩＣカードと非接触ＩＣカードの読取機器との通信において該非接触ＩＣカードの接近を該非接触ＩＣカードの読取機器が感知した場合に、該非接触ＩＣカードの読取機器の送信エネルギーを増加させ該非接触ＩＣカードがそのエネルギーを取得し、そのエネルギーにより、該非接触ＩＣカードとの通信を行うものであるが、非接触ＩＣカードと非接触ＩＣカードの読取機器との距離が長い場合には、該非接触ＩＣカードの読取機器からの送信周波数のエネルギーを取得することが出来ず、該非接触ＩＣカードとの通信は行なうことができない。【０００６】特許文献２は複数の非接触ＩＣカードの読取機器がネットワークを組んで、供給可能な電波及びそれに内蔵された電波エネルギーを大量に確保し、対象となる非接触ＩＣカードを多く処理できるようにしたものであるが、この場合でも非接触ＩＣカードの読取機器が非接触ＩＣカードを判定しなければ、非接触ＩＣカードの読取機器からの電波エネルギーを取得して非接触ＩＣカードの読取機器が非接触ＩＣカードとの通信は行なうことができない。【０００７】本発明は、この課題を実現するために、非接触ＩＣカードが対象とする非接触ＩＣカードの読取機器からの通信エネルギーを取得しなくても、該非接触ＩＣカードが通信に必要な通信エネルギーを確保することができる非接触ＩＣ電力制御装置を提供することにある。
【課題を解決するための手段】
【０００８】（請求項１）本発明に係る非接触ＩＣカード電力制御装置は非接触ＩＣカードの読取機器からの通信信号に対して同調し、該同調信号から通信エネルギーを取得する手段と、該非接触ＩＣカードの読取機器以外の機器から発信されている通信信号に対して同調し、該同調信号から通信エネルギーを取得する手段を有することで、同時並行的に非接触ＩＣカードが該非接触ＩＣカードを動作させるエネルギーを取得し、非接触ＩＣカードの読取機器が非接触ＩＣカードとの通信を確実に行うことが可能となる。【０００９】（請求項２）本発明に係る非接触ＩＣカードにおいて、該非接触ＩＣカードの読取機器以外の機器から発信されている通信信号としての通信周波数を２．４５ＧＨｚとする通信信号に対して同調し、該同調信号から通信エネルギーを取得し、非接触ＩＣカードの読取機器が非接触ＩＣカードとの通信を確実に行うことが可能となる。【００１０】（請求項３）本発明に係る非接触ＩＣカードにおいて、該非接触ＩＣカードの読取機器以外の機器から発信されている通信信号としての通信周波数を９６０ＭＨｚとする通信信号に対して同調し、該同調信号から通信エネルギーを取得し、非接触ＩＣカードの読取機器が非接触ＩＣカードとの通信を確実に行うことが可能となる。【００１１】（請求項４）本発明に係る非接触ＩＣカードにおいて、該非接触ＩＣカードの読取機器以外の機器から発信されている通信信号としての通信周波数を１３．４５ＭＨｚとする通信信号に対して同調し、該同調信号から通信エネルギーを取得し、非接触ＩＣカードの読取機器が非接触ＩＣカードとの通信を確実に行うことが可能となる。【００１２】（請求項５）本発明に係る非接触ＩＣカードにおいて、該非接触ＩＣカードの読取機器以外の機器から発信されている通信信号としての通信周波数を１３５ＫＨｚとする通信信号に対して同調し、該同調信号から通信エネルギーを取得し、非接触ＩＣカードの読取機器が非接触ＩＣカードとの通信を確実に行うことが可能となる。
【発明の効果】
【００１３】（請求項１）本発明に係る非接触ＩＣカード電力制御装置によれば、非接触ＩＣカードの読取機器からの通信信号に対して同調し、該同調信号から通信エネルギーを取得すると同時に、該非接触ＩＣカードの読取機器以外の機器から発信されている通信信号に対して同調し、該同調信号から通信エネルギーを取得することで、同時並行的に非接触ＩＣカードが該非接触ＩＣカードを動作させるエネルギーを取得し、非接触ＩＣカードの読取機器が非接触ＩＣカードとの通信を確実に行うことが可能となる。【００１４】請求項２によれば、本発明に係る非接触ＩＣカードが非接触ＩＣカードの読取機器以外の機器から発信される通信周波数を受信し、その通信信号に同調して通信エネルギーを取得する際の同調周波数として通信周波数を２．４５ＧＨｚとすることで、非接触ＩＣカードの読取機器からの通信信号に対して同調し、該同調信号から通信エネルギーを取得するのと同時あるいは単独で、非接触ＩＣカードの読取機器以外の機器からの通信信号から通信エネルギーを取得することで、非接触ＩＣカードの読取機器が非接触ＩＣカードとの通信を確実に行うことが可能となる。【００１５】請求項３によれば、本発明に係る非接触ＩＣカードが非接触ＩＣカードの読取機器以外の機器から発信される通信周波数を受信し、その通信信号に同調して通信エネルギーを取得する際の同調周波数として通信周波数を９６０ＭＨｚとすることで、非接触ＩＣカードの読取機器からの通信信号に対して同調し、該同調信号から通信エネルギーを取得するのと同時あるいは単独で、非接触ＩＣカードの読取機器以外の機器からの通信信号から通信エネルギーを取得することで、非接触ＩＣカードの読取機器が非接触ＩＣカードとの通信を確実に行うことが可能となる。【００１６】請求項４によれば、本発明に係る非接触ＩＣカードが非接触ＩＣカードの読取機器以外の機器から発信される通信周波数を受信し、その通信信号に同調して通信エネルギーを取得する際の同調周波数として通信周波数を１３．５６ＭＨｚとすることで、非接触ＩＣカードの読取機器からの通信信号に対して同調し、該同調信号から通信エネルギーを取得するのと同時あるいは単独で、非接触ＩＣカードの読取機器以外の機器からの通信信号から通信エネルギーを取得することで、非接触ＩＣカードの読取機器が非接触ＩＣカードとの通信を確実に行うことが可能となる。【００１７】請求項５によれば、本発明に係る非接触ＩＣカードが非接触ＩＣカードの読取機器以外の機器から発信される通信周波数を受信し、その通信信号に同調して通信エネルギーを取得する際の同調周波数として通信周波数を１３５ＫＨｚとすることで、非接触ＩＣカードの読取機器からの通信信号に対して同調し、該同調信号から通信エネルギーを取得するのと同時あるいは単独で、非接触ＩＣカードの読取機器以外の機器からの通信信号から通信エネルギーを取得することで、非接触ＩＣカードの読取機器が非接触ＩＣカードとの通信を確実に行うことが可能となる。
【図面の簡単な説明】
【００１８】
【図１】非接触ＩＣカード内の電力制御装置が非接触ＩＣカードの読取機器からの通信信号を受信し、非接触ＩＣカードの読取機器から通信エネルギーを取得する部品と非接触ＩＣカードの読取機器以外の機器から通信エネルギーを取得する部品を有し、該非接触ＩＣカードの読取機器からの通信信号を受信し、通信エネルギーを取得すると同時に非接触ＩＣカードの読取機器以外の機器からの通信信号を受信し、非接触ＩＣカードの読取機器以外の機器から通信エネルギーを取得する時の概念図である。
【図２】非接触ＩＣカード内の電力制御装置が非接触ＩＣカードの読取機器以外の機器からの通信信号を受信し、非接触ＩＣカードの読取機器以外の機器から通信エネルギーを取得する時の同調信号の周波数が複数存在することを示す概念図である。
【発明を実施するための形態】
【００１９】以下に、この発明の実施の形態を、図面を参照して、説明する。
（請求項１）図１で、発明に係る非接触ＩＣカード１に内蔵された非接触ＩＣカードの読取機器からの通信エネルギーを取得する電力制御装置１ａが非接触ＩＣカードの読取機器２からの通信信号３を受信し、通信エネルギーを取得する電力制御装置１ａと非接触ＩＣカードの読取機器２以外の機器４からの通信信号５を受信し、通信エネルギーを取得する電力制御装置１ｂを有し、該非接触ＩＣカード１は電力制御装置１ａ及び／あるいは電力制御装置１ｂが取得した通信エネルギーを非接触ＩＣカード１の動作用として使用することで、非接触ＩＣカード１が該非接触ＩＣカードの読取機器２とに使用する電力を十分に確保し、該非接触ＩＣカード１が該非接触ＩＣカードの読取機器２との通信を確実に行うことが可能となる。
【００２０】（請求項２）図２で、発明に係る非接触ＩＣカード１に内蔵された非接触ＩＣカードの読取機器２以外の機器４からの通信信号５を受信し、通信エネルギーを取得する電力制御装置１ｂに同調する信号周波数として２．４５ＧＨｚとすることで、非接触ＩＣカード１が該非接触ＩＣカードの読取機器とに使用する電力を十分に確保し、該非接触ＩＣカードが該非接触ＩＣカードの読取機器との通信を確実に行うことが可能となる。
【００２１】（請求項３））図２で、発明に係る非接触ＩＣカード１に内蔵された非接触ＩＣカードの読取機器２以外の機器４からの通信信号５を受信し、通信エネルギーを取得する電力制御装置１ｂに同調する信号周波数として９６０ＭＨｚとすることで、非接触ＩＣカード１が該非接触ＩＣカードの読取機器とに使用する電力を十分に確保し、該非接触ＩＣカードが該非接触ＩＣカードの読取機器との通信を確実に行うことが可能となる。
【００２２】（請求項４））図２で、発明に係る非接触ＩＣカード１に内蔵された非接触ＩＣカードの読取機器２以外の機器４からの通信信号５を受信し、通信エネルギーを取得する電力制御装置１ｂに同調する信号周波数として１３．５６ＭＨｚとすることで、非接触ＩＣカード１が該非接触ＩＣカードの読取機器２とに使用する電力を十分に確保し、該非接触ＩＣカード１が該非接触ＩＣカードの読取機器２との通信を確実に行うことが可能となる。
【００２３】（請求項５））図２で、発明に係る非接触ＩＣカード１に内蔵された非接触ＩＣカードの読取機器２以外の機器４からの通信信号５を受信し、通信エネルギーを取得する電力制御装置１ｂに同調する信号周波数として１３５ＫＨｚとすることで、非接触ＩＣカード１が該非接触ＩＣカードの読取機器とに使用する電力を十分に確保し、該非接触ＩＣカード１が該非接触ＩＣカードの読取機器２との通信を確実に行うことが可能となる。
【実施例】
【００２４】  図１は本発明に係る非接触ＩＣ電力制御装置の動作手順を示したものである。【００２５】  非接触ＩＣカードの読取機器２から発信された通信信号３を受信した非接触ＩＣカード１は非接触ＩＣカードの読取機器から通信エネルギーを取得する部品６により非接触ＩＣカードの読取機器２からの通信信号３に同調させ、該通信信号３を通信エネルギーとして非接触ＩＣカードの読取機器２からの通信エネルギーを取得する電力制御装置１ａに貯蔵する。【００２６】  該非接触ＩＣカード１は非接触ＩＣカードの読取機器以外の機器４から発信された通信信号５から通信エネルギーを取得する部品７により非接触ＩＣカードの読取機器以外の機器４からの通信信号５に同調させ、該通信信号５を通信エネルギーとして非接触ＩＣカードの読取機器以外の機器４からの通信エネルギーを取得する電力制御装置１ｂに貯蔵する。【００２７】  該非接触ＩＣカード１は非接触ＩＣカードの読取機器２からの通信信号３を受信した場合に、該非接触ＩＣカードの読取機器２に対応する通信エネルギーを非接触ＩＣカードの読取機器２から通信エネルギーを取得する部品６により取得するとともに、該非接触ＩＣカード１が非接触ＩＣカードの読取機器以外の機器４からの通信信号５を受信した場合に、該非接触ＩＣカード１の読取機器２に対応する通信エネルギーを非接触ＩＣカードの読取機器以外の機器から通信エネルギーを取得する部品７により取得することで、該非接触ＩＣカード１が該非接触ＩＣカードの読取機器２に対応する通信エネルギーを非接触ＩＣカードの読取機器２から取得するよりも大量のエネルギーを取得すること可能となる。
【符号の説明】
【００２８】１    非接触ＩＣカード
１ａ  非接触ＩＣカードの読取機器からの通信エネルギーを取得する電力制御装置
１ｂ  非接触ＩＣカードの読取機器以外の機器からの通信エネルギーを取得する電力制御      装置
２    非接触ＩＣカードの読取機器
３    非接触ＩＣカードの読取機器からの通信信号
４    非接触ＩＣカードの読取機器以外の機器
５    非接触ＩＣカードの読取機器以外の機器からの通信信号
６    非接触ＩＣカードの読取機器から通信エネルギーを取得する部品
７    非接触ＩＣカードの読取機器以外から通信エネルギーを取得する部品
【図１】
2020021438.tif 000003
【図２】
2020021438.tif 000004